(57)【要約】【課題】画筆や筆記具を収納状態で画筆や筆記具を固定する収納ケースを得るために部品点数を最小限にしたものである。【解決手段】  画筆や筆記用具を傷めないで、収納ケースを合成樹脂の中空成形で一体成形し、カット作業で、蓋、底を分離し、底の上部に画筆や筆記具の軸径に合わせ数ヶ所に縦長のカットによって得た側面を内側に９０度以上曲げ、材質の特徴のスプリングバック効果で画筆や筆記具の軸を圧迫し画筆や筆記具の軸を固定可能にし、紙材料においても展開面を一体抜きにより、前述の合成樹脂と同様に内側に曲げた側面で画筆や筆記具の軸を固定する収納ケースを提供するものである。【選択図】図５
2008149037.tif 000002
【特許請求の範囲】
【請求項１】
筒型の繰返し折り曲げても折損しない合成樹脂性の中空の収納ケースの蓋と底を一体中空成形し、成形後収納ケースの蓋を分離させ、収納ケースの底の上部に、縦長に切れ目を数箇所入れ立ち上がり側面を設けた収納ケース。
【請求項２】
請求項１の収納ケースの底の上部に縦長の切れ目によって設けた立ち上がり側面を、合成樹脂性の繰返し折り曲げても折損しない特有のヒンジ機能で、立ち上り側面を約９０度以上内側に折り曲げることによって、内側に画筆を収納ケースに入れた時、内側に折り曲げられた立ち上り側面のスプリングバックによって画筆の軸を圧迫して画筆の固定を可能にした収納ケース。
【発明の詳細な説明】
【技術分野】
【０００１】
本発明は、画筆や筆記具を収納し、筆の穂先が蓋の天井に当った時に穂先の変形や鉛筆の芯の折損などを防止する収納ケースに関するものである。
【背景技術】
【０００２】
従来の筒型の収納ケースに数本の画筆や筆記具を収納して、持ち歩くと収納ケースが横転したり、逆さまになったまま経時すると、収納ケースに収納された画筆や筆記具が、容易に移動したり、逆さまになり、画筆や書道筆なら穂先が蓋の内側の天井面に当たり変形するために、別部品で仕切を設けたり、詰め物をしてガタの防止を施したものである。
【０００３】
または、筒型の収納ケースは、数本の画筆や筆記具の収納ケースにはガタを防止するために、仕切り等の別部品が不可欠になるので、画筆や筆記具などを１本かセット物用の専用ケースに限定されることが多い。
【０００４】
以下、従来の収納ケースについて、図１、図２で説明する。図１は、収納ケースに画筆や筆記具（３））を収納した断面図で、空間部が多く収納された画筆や筆記具（３）を固定する物がない。
【０００５】
それ故、画筆、筆記具（３）を収納した収納ケースをバック等に入れて持ち歩いていると、収納ケースが横転や逆さまになると図２で現している様に画筆や書道筆（３）の先端を穂先（Ａ）というが、該穂先（Ａ）が収納ケースの蓋（１）の天井面（Ｂ）に当り変形し、この状態で経時すると、穂先（Ａ）は、経時変化を起こし永久変形を起し、使用時に支障を来している。
【０００６】
先行技術として画筆や筆記具収納ケースに外力が加わっても、収容した筆記具が収容状態でガタガタすることなく、また、収容した筆記具の軸同士がぶつかり合って、軸面に傷をつける恐れのない筆記具収納ケースで、底蓋片の筆記具を収容する収容部内に挿入する折返部に、収容部を構成する側面片の幅より幅広の仕切片を連接する。仕切片に、筆記具を収容部に挿入した際に筆記具の端部を挿入する一つ又は互いに触間した複数個の支持孔を設ける。仕切片を収容部内にて筆記具の挿入方向に対して傾斜するよう配設する。（特開２００２−１１２８２４）
【０００７】
しかしながら、筆記具収納ケースで、底蓋片の筆記具を収容する収容部内に挿入する折返部に、収容部を構成する側面片の幅より幅広の仕切片の別部品を設けて連接し、仕切片に筆記具の軸を支持する支持孔を設けなければならない欠点がある。
【０００８】
また、ケース本体とその上端に配設される吊持部とからなるケース本体を扁平な筒状に形成するとともに、表裏の少なくとも一側面部分を透明または半透明に形成してなり、筒状のケース本体の下端部を内方に折込み、ケース本体内に筆記具収納空間を形成し、筆記具を筆記具収納空間内に挿入した時に当該筆記具収納空間の表面及び裏面の内週面部分面部分で筆記具の側面を押圧して筆記具を固定するようにしたことを特徴とする筆記具収納ケース。（特開平０５−３０５９３６）
【０００９】
しかしながら、筒状に形成した側面の内面で押圧して筆記具の軸を固定しているが、一本だけ収納するには、内週面部分面部分で押圧できるが、数本収納した場合、大小３本以上収納すると、二本の軸径の大きい筆記具の間に軸径の小さい軸径の筆記具が収納された場合は、軸径の小さい筆記具は内週面部分面部分の圧迫が加わらないにで、固定不可能となり、更に、収納ケースの側面で画筆や筆記具の軸を固定するという束縛があるので、デザインなどに制限される欠点がある。
【００１０】
この出願の発明に関する先行技術文献情報としては次のものがある。
【特許文献１】特開２００２−１１２８２４号
【特許文献２】特開平０５−３０５９３６号
【００１１】
以上、述べた従来の収納ケースは、画筆や筆記用具を収納した時にガタがあったり、ガタを防ぐために仕切りを入れたり、或いは、ケースの側壁で筆記具の軸を圧迫して固定する方法や収納ケース内に孔を開けて画筆や筆記具の軸をその孔に挿入して固定している。しかしながら、いずれの収納ケースも、画筆や筆記具の軸を固定する付属品が必要であり、先述の従来の収納ケースは、いずれも製作するには、加工工程が多くなり、また、別部品の構成を設ける必要があり、コスト高になる欠点があった。
【発明の開示】
【発明が解決しようとする課題】
【００１２】
本発明は、このような従来の構成が有していた問題を解決しようというものであり、加工工程の削減と、付属部品を設ける必要性を無くする目的とするものである。
【課題を解決するための手段】
【００１３】
そして、本発明は、上記目的を達成するために筒型の繰返し折り曲げても折損しない合成樹脂性の中空の収納ケースの蓋と底を一体中空成形し、成形後収納ケースの蓋を分離させ、収納ケースの底の上部に、縦長に切れ目を数箇所入れ立ち上がり側面を設けた収納ケースである。
【００１４】
上記において、成形後の収納ケースの底の上部に縦長の切れ目によって設けた立ち上がり側面を、合成樹脂性の繰返し折り曲げても折損しない特有のヒンジ機能で、立ち上り側面を約９０度以上内側に折り曲げることによって、内側に画筆を収納ケースに入れた時、内側に折り曲げられた立ち上り側面のスプリングバックによって画筆の軸を圧迫して画筆の軸を固定することを可能にした収納ケースである。
【発明の効果】
【００１５】
上記第１の課題解決の効果は、筒型収納ケースにおいて、繰返し折り曲げても折損しない合成樹脂性材料での蓋と底の一体中空成形をして、成形後蓋と底を分離し、底（５）の上部に縦に数箇所切り込みを入れることで、画筆や筆記具（３）を収納した時の該画筆や筆記具（３）の軸を固定する側面（６）、側面（７）が形成される。
【００１６】
上記第２の課題解決の効果は、加工工程と側面（６）、側面（７）を内側に折り曲げ、画筆や筆記具（３）を収納して、図４に表示している様に内側に折り曲げた側面（６）、側面（７）を画筆や筆記用具（３）を収納時、該軸で軽く押し込むだけで、画筆や筆記具（３）の軸面を側面（６）、側面（７）のスプリングバックによって軸を圧迫し固定出来ることによって、別部品の仕切りや詰め物、穴あけも不要となるのでコスト低減が可能な効果がある。
【００１７】
また、繰返し折り曲げ可能な材料として紙性の収納ケースも、収納ケースを展開して紙の抜き型を製作する時に、合成樹脂性と同様に縦のカットを同時に打ち抜けば、組立てた時に側面（６）、側面（７）も内側に約９０度曲げれば、画筆や筆記具（３）の軸を押し込んで収納すれば、紙のスプリングバックによって画筆や筆記用具（３）の軸を圧迫して固定することが出来る効果がある。
【発明を実施するための最良の形態】
【００１８】
以下、本発明の実施形態を図１〜図５に基づいて説明する。
【００１９】
図において、図１、図２は従来の収納ケースに画筆や筆記具（３）を収納した状態の断面図で、（１）は収納ケースの蓋で、（２）の底に嵌合挿入状態であり、収納ケースの中には、（３）の画筆や筆記具が収納されている。
【００２０】
図２においては、従来の収納ケースで、（３）の画筆や筆記具が収納された状態による断面図で、蓋（１）と底（２）が挿入嵌合した収納ケースが逆さまになった場合で、画筆や筆記具（３）が固定されていないので、画筆や筆記具（３）の穂先（Ａ）が蓋（１）の天井のＢ面に当り、画質や筆記具（３）の自重や振動、衝撃などによって、画筆や書道筆（３）ならば穂先（Ａ）が曲がり、鉛筆などでは芯が折損する。
【００２１】
図３においては、本発明の角筒型の収納ケース金型での一体中空成形で蓋（４）と底（５）を分離し、底（５）の上部を数箇所カットして側面（６）及び側面（７）を設ける。側面（６）、側面（７）の数箇所のカットは、収納する画筆や筆記具（３）の軸径の大きさに合せて数箇所のカットの長さは変動する、また、数箇所のカットの数を追加して、小さ目の画筆や筆記具（３）でも汎用可能である。また、太めの画筆や筆記具（３）と細めの画筆や筆記具（３）を混合で収納する場合は、数箇所の軸径に合せた縦長カットをすることによって、汎用性も得られる、そして、縦長の短いカットの間隔を小さくするほど図７の平面図で示すように軸にフィットする特徴がある。
【００２２】
図４においては、本発明の収納ケースで図３で蓋（４）と底（５）を分離し、底（５）の数箇所の長寸方向の両側面（６）と短寸方向の両側面（７）の各側面を内側に折り曲げるが、画筆や筆記具（３）の軸を固定する長寸方向の両側面（６）より短寸の両側面（７）を先により深く内側に折り曲げた状態である。
【００２３】
図５においては、角筒型の収納ケースの例で述べると画筆や筆記具（３）が底（５）に収納された状態を図指したものである。図５から見られるように図４で内側に折り曲げられた両側面（６）が画筆や筆記具（３）の軸を圧迫して固定している。
【００２４】
図６は、前述の図５から内側に折り曲げられた両側の側面（６）が内側に曲げられ、画筆や筆記具（３）の軸が圧迫状態で固定された断面図である。
【００２５】
図７は、前述の図５の内側に曲げられた両側の側面（６）が画筆や筆記具（３）の軸に圧迫状態の平面図であるが、カット間隔を小さくするほど画筆や筆記具（３）の軸への圧迫された状態を示した平面図である。収納ケースの底（５）の上面の立ち上がり側面を、繰返し折り曲げられる合成樹脂性の特有のヒンジ機能で、立ち上り側面（６）を約９０度以上内側に折り曲げることによって、内側に画筆や筆記具（３）を収納ケースに収納れた時、内側に折り曲げられた立ち上り側面（６）のスプリングバックによって画筆や筆記具（３）の軸を圧迫して固定を可能にした収納ケースである。
【００２６】
図８は、  本発明での応用的実施例として、本発明では、蓋部（４）と底部（５）を一体中空成形するが、蓋部と底部を別々に金型製作する場合があるが、単独で底部（５）のみ中空成形した場合は、底部（５）の天井も閉鎖状態で成形されるので、この天井部分に前述の本発明の側面（６）（７）を形成が可能なように図８の斜図から容易にカット出来るように点線部の肉厚を薄くし、このラインをカットすれば、本発明の目的の側面（６）（７）が得られるし、成形品は天井部が閉鎖状態である為前述の側面を９０度に折り曲げることを必要としない。
【００２７】
実例１  応用実施例は、一体型中空成形でなく射出成形においても、蓋（４）、底（５）の別々の金型で成形する場合も底（５）の金型にあらかじめ縦のカットを設けておけば、前述の本発明と同様の目的が得られる。
【００２８】
実例２  射出成形品の場合、蓋部と底部を別金型にして、成形材料によっては、すでに、底部に縦のカットも９０度の折り曲げも金型に折込み、最初の目的の９０度に曲げた側面（６）（７）で筆記用具の軸を圧迫し、固定可能である。
【００２９】
実例３  ケースに収納する画筆、筆記用具の軸径の大きさと収納数によって使い分ける多種類の切り込みを設けて、９０度に曲げだ側面（６）（７）を保有して、ケース内に挿入する画筆や筆記具を固定する中枠で、ケースの共通化をはかることが可能である。
【００３０】
実例４  高級画筆、筆記用具は、軸にも高級感を求め、軸へのキズ防止に軸と接触部分に不織布をコーティングした筆ケースである。
【００３１】
実例５  画筆は、使用後、油絵では、画筆の穂先に残留油絵の具を除去清浄し、次回使用時、どの色の油絵の具でも可能に準備し、または、水彩画でも、同様に、残留水彩絵の具を除去清浄し、次回の使用に準備しておくが、穂先が、乾燥するまで密閉された収納ケースに収納すると、穂先の乾燥が不十分で、穂先にカビが発生したり、長期間使用せず密閉ケースに収納されたままだと、最悪高級な穂先ほど腐敗する可能性がある。従って、穂先を清浄直後、収納ケースに収納して、蓋を閉めずに、収納ケース毎保管可能な中枠を設ける。通常、収納ケースに空気抜きを開けて、腐敗や穂先の老化を防止するが、蓋がない状態で、風通しの良い日陰に保管可能な収納ケースである。
【００３２】
実例６  収納ケースの外観部に塗装したり、プリントしたり、また、クロスを張ったりして高級感を得ることが可能であり、逆に、アニメやマンガなどをプリントし、子供や若い人達に興味を掻き立て、子供や若い人達の愛用ケースにも活用され、女の人などは、ファッションを兼ねて化粧道具を収納する収納ケースともなりうる。
【図面の簡単な説明】
【００３３】
【図１】従来の収納ケースで画筆を収納した断面図。
【図２】従来の収納された画筆が逆さま状態の収納ケースの断面図。
【図３】本発明の底の上部の縦のカット状況斜図。
【図４】本発明の底の上部の縦のカット後各側面を曲げた状態斜図。
【図５】本発明の収納状態斜図。
【図６】画筆の軸に側面の圧迫状態の断面図。
【図７】画筆の軸に側面の縦カット間隔の小さくした圧迫状態の平面図。
【図８】単体の中空成形品の底の斜図。
【符号の説明】
【００３４】
１  従来の収納ケースの蓋
２  従来の収納ケースの底
３  画筆
４  本発明の蓋
５  本発明の底
６  長寸側面
７  短寸側面
【図１】
2008149037.tif 000003
【図２】
2008149037.tif 000004
【図３】
2008149037.tif 000005
【図４】
2008149037.tif 000006
【図５】
2008149037.tif 000007
【図６】
2008149037.tif 000008
【図７】
2008149037.tif 000009
【図８】
2008149037.tif 000010